(57)【要約】【課題】１台の表示装置上で複数の映像（画像）を同時に表示することができ、また入力操作を迅速、容易にする。【解決手段】映像切り替え機１は、マウス４とキーボード５を入力操作手段としてパソコン２Ａ，２Ｂから入力される映像（画像）を表示装置３に画面表示する。  映像切り替え機は、表示装置の表示画面領域を２つのエリアに分割し、各表示画面領域に２つの映像または画像信号を分割表示し、この分割画面領域に対するキーボードまたはマウス入力を有効とする画面領域を画面上のマウスカーソルの移動で切り替える手段を備える。  表示画面領域を４分割すること、マルチウィンドウ表示することも含む。【選択図】図１
2008040190.tif 000002
【特許請求の範囲】
【請求項１】
入力される複数の映像または画像信号を切り替えて１台の表示装置に画面表示する映像切り替え機を備えた映像切り替えシステムにおいて、
前記映像切り替え機は、
複数の映像または画像信号を入力する手段と、
入力した各映像または画像信号を前記表示装置に画面表示する手段と、
表示画面に対するマウス入力を行う手段と、
表示画面に対するキーボード入力を行う手段と、
前記表示装置の表示画面領域を複数エリアに分割する手段と、
各表示画面領域に複数の映像または画像信号を分割表示する手段と、
前記分割画面領域に対するキーボードまたはマウス入力を有効とする画面領域を画面上のマウスカーソルの移動で切り替える手段と、
を備えたことを特徴とする映像切り替えシステム。
【請求項２】
前記映像切り替え機は、表示画面領域を境界エリアによって２分割または４分割して表示、またはマルチウィンドウ画面にして表示することを特徴とする請求項１に記載の映像切り替えシステム。
【発明の詳細な説明】
【技術分野】
【０００１】
本発明は、入力される複数の映像（または画像）を切り替えて１台の表示装置（モニタ、スクリーンパネル、プロジェクタなど）に表示する映像切り替えシステムに関する。
【背景技術】
【０００２】
この種の映像切り替えシステムは、例えば、多種多様の監視機能をもつ監視システムや監視制御システムで利用される。監視システムでは、複数台のコンピュータを監視室に設置し、各監視点からのカメラ撮影情報などの各種監視情報や管理情報を各コンピュータが機能分担して監視や管理し、各コンピュータの出力映像をモニタやスクリーンパネルに切り替え表示可能とする。また、監視制御システムの場合は、各コンピュータは監視情報および監視員の制御卓からの操作信号が与えられることで、各監視点カメラの操作や機器制御情報を制御器等に発信する機能ももつ。
【０００３】
従来の映像切り替え方式としては、例えば、１台のモニタと複数台のコンピュータとの間に映像切り替え機を設け、または複数台の映像切り替え機を階層状に多段接続して多数台のコンピュータに接続し、スイッチ操作またはキーボードの入力操作で映像切り替え機を切り替え操作することで、各コンピュータからの映像信号の１つを選択してモニタに表示させる（例えば、特許文献１参照）。
【特許文献１】特開２００３−１８６４６０号公報
【発明の開示】
【発明が解決しようとする課題】
【０００４】
従来の映像切り替え方式では、１台のモニタ上では複数台のパソコンの出力映像（画像）を同時に見ることができない。このため、この映像切り替え方式を監視システムに適用した場合には、複数台のパソコンからの映像の見比べによる監視対象の状況判断等を行う場合に映像切り替えを繰り返すことになり、使い勝手の悪いものになっている。
【０００５】
また、モニタ上の映像を切り替え操作するには、映像切り替え機のスイッチ操作またはキーボードの入力操作で行っているため、多数のコンピュータからの映像切り替えには切り替え操作が面倒になるし、作業効率を悪くしている。また、熟練した操作員でない場合は操作に手間取り、監視システムや監視制御システムの場合は緊急を要する場合が多く、対応が遅れてしまうおそれがある。
【０００６】
本発明の目的は、上記の課題を解決した映像切り替えシステムを提供することにある。
【課題を解決するための手段】
【０００７】
本発明は、前記の課題を解決するため、表示装置の表示画面領域を複数エリアに分割し、各表示画面領域に複数の映像または画像信号を分割表示し、この分割画面領域に対するキーボードまたはマウス入力を有効とする画面領域を画面上のマウスカーソルの移動で切り替えるようにしたもので、以下の構成を特徴とする。
【０００８】
（１）入力される複数の映像または画像信号を切り替えて１台の表示装置に画面表示する映像切り替え機を備えた映像切り替えシステムにおいて、
前記映像切り替え機は、
複数の映像または画像信号を入力する手段と、
入力した各映像または画像信号を前記表示装置に画面表示する手段と、
表示画面に対するマウス入力を行う手段と、
表示画面に対するキーボード入力を行う手段と、
前記表示装置の表示画面領域を複数エリアに分割する手段と、
各表示画面領域に複数の映像または画像信号を分割表示する手段と、
前記分割画面領域に対するキーボードまたはマウス入力を有効とする画面領域を画面上のマウスカーソルの移動で切り替える手段と、
を備えたことを特徴とする。
【０００９】
（２）前記映像切り替え機は、表示画面領域を境界エリアによって２分割または４分割して表示、またはマルチウィンドウ画面にして表示することを特徴とする。
【発明の効果】
【００１０】
以上のとおり、本発明によれば、表示装置の表示画面領域を複数エリアに分割し、各表示画面領域に複数の映像または画像信号を分割表示し、この分割画面領域に対するキーボードまたはマウス入力を有効とする画面領域を画面上のマウスカーソルの移動で切り替えるようにしたため、以下の効果がある。
【００１１】
（１）１台の表示装置上で複数の映像（画像）を同時に表示することができ、映像切り替えを繰り返す操作が不要になって、使い勝手を向上させることができる。
【００１２】
（２）表示装置上の映像（画像）の切り替え操作および入力有効映像（画像）の操作にはマウス操作で済み、切り替え操作を迅速、容易にして、作業効率を高めることができる。
【発明を実施するための最良の形態】
【００１３】
（実施形態１）
図１は、本発明の実施形態を示すシステム構成図であり、２台のパソコンと１台のモニタ構成により映像を切り替える場合である。
【００１４】
映像切り替え機１は、例えばパソコンを利用して構成され、マウスやキーボードからの位置、操作信号入力の受付け機能、モニタへの画像表示機能および外部からの映像入力機能をもつＯＳとアプリケーションを搭載する。
【００１５】
これら機能を有する映像切り替え機１は、ＬＡＮまたは映像入力ケーブルによって２台のパソコン２Ａ，２Ｂに接続されてこれらパソコン２Ａ，２Ｂからの映像出力を並行して取得可能にする。また、映像切り替え機１は、映像出力ケーブルによってモニタ３に接続されて該モニタ３への映像信号出力を可能にする。さらに、映像切り替え機１には操作入力装置としてマウス４とキーボード５が接続される。
【００１６】
さらに、映像切り替え機１は、本実施形態の実現のため、以下の映像切り替え機能をもつアプリケーションを搭載する。
【００１７】
（１Ａ）モニタの画面表示
画面表示は各パソコン２Ａ、２Ｂからの映像入力をそれぞれ１画面表示して切り替える表示機能と、図２に示すように、表示画面を２分割し、各表示画面領域には両パソコン２Ａ、２Ｂからの映像をそれぞれ分割表示する分割表示機能をもつ。なお、境界エリアによる画面分割は等分に限らず、１／３と２／３などに変更可能とするのが好ましい。
【００１８】
（１Ｂ）キーボード・マウス入力
モニタにパソコン２Ａまたは２Ｂの一方の映像を１画面表示する場合は、当該画面に対してギーボード５またはマウス４による入力操作を可能にする。
【００１９】
また、分割画面表示の場合、ギーボードまたはマウス入力を可能にした画面は、当該画面枠を太く表示し画面の濃淡で表し、操作入力と映像との対応付けを容易にする。パソコン２Ａの画面領域に対するキーボード・マウス入力有効時の例を図３の（ａ）に示し、パソコン２Ｂの画面領域に対するキーボード・マウス入力有効時の例を図３の（ｂ）に示す。
【００２０】
（１Ｃ）キーボード・マウス入力有効画面切り替え
キーボードまたはマウス入力の有効画面切り替えは、マウスカーソルの移動により切り替える。例えば、図４の（ａ），（ｂ）に示すように、カーソルがＡの画面領域からＢの画面領域に移動したときにキーボード・マウス入力有効画面を切り替える。
【００２１】
（１Ｄ）キーボード・マウス入力の切り替え処理
初期状態はいずれかのパソコン画面に対するキーボード・マウス入力を有効とする。この状態で、キーボード入力有効画面のマウスカーソルが画面のどの場所にあるかを把握しておき、マウスカーソルがパソコン２Ａの表示画面とパソコン２Ｂの表示画面の境界エリア付近に移動し、更に入力有効画面ではない画面へのエリア移動があった場合にキーボード・マウス入力が有効な画面に切り替える。
【００２２】
なお、上記の映像切り替え処理は、図５に示すように、パソコン２Ａの画面表示とパソコン２Ｂの画面表示の間を境界エリアとしてマウスカーソルが境界エリアに入った次の動作によりキーボード・マウスの入力切り替えのチェックをする。このための処理例を図６に示すように、パソコン２Ａのキーボード・マウス入力を有効にし（Ｓ１）、マウスカーソルが境界にあり（Ｓ２）、パソコン２Ｂの画面に移動したとき（Ｓ３）、パソコン２Ｂの画面に対するキーボード・マウス入力を有効にする（Ｓ３）。この状態で、マウスカーソルが境界エリアにあり（Ｓ５）、パソコン２Ａの画面に移動したとき（Ｓ６）、再びＳ１に戻ってパソコン２Ａの入力を有効に切り替える。
【００２３】
（実施形態２）
図７は、本発明の実施形態を示すシステム構成図であり、４台のパソコン２Ａ〜２Ｄと１台のモニタ構成により映像を切り替える場合である。本実施形態における映像切り替え機１は、以下の映像切り替え機能をもつアプリケーションを搭載する。
【００２４】
（２Ａ）モニタの画面表示
画面表示は各パソコン２Ａ〜２Ｄからの映像入力をそれぞれ１画面表示して切り替える表示機能と、図８に示すように、表示画面を４分割して各パソコン２Ａ〜２Ｄからの４つの映像をそれぞれ表示する４分割表示機能をもつ。なお、画面を２分割して２つのパソコンからの映像を２分割表示する機能ももつ。
【００２５】
（２Ｂ）キーボード・マウス入力
モニタにパソコン２Ａ〜２Ｄのうちの１つの映像を１画面表示する場合は、当該画面に対してギーボード５またはマウス４による入力を可能にする。
【００２６】
また、２分割または４分割画面表示の場合、ギーボードまたはマウス入力を可能にした画面は、当該画面枠を太く表示し画面の濃淡で表し、操作入力と映像との対応付けを容易にする。パソコン２Ｂの画面領域に対するキーボード・マウス入力有効時の例を図９の（ａ）に示し、パソコン２Ｄの画面領域に対するキーボード・マウス入力有効時の例を図９の（ｂ）に示す。
【００２７】
（２Ｃ）キーボード・マウス入力有効画面切り替え
キーボードまたはマウス入力の有効画面切り替えは、マウスカーソルの移動により切り替える。例えば、図１０の（ａ），（ｂ）に示すように、カーソルがＡの画面領域からＢの画面領域に移動したときにキーボード・マウス入力有効画面を切り替える。
【００２８】
（２Ｄ）キーボード・マウス入力の切り替え処理
初期状態はいずれかのパソコン画面に対するキーボード・マウス入力を有効とする。この状態で、キーボード入力有効画面のマウスカーソルが画面のどの場所にあるかを把握しておき、マウスカーソルがパソコン２Ａ〜２Ｄの表示画面の境界エリア付近に移動し、更に入力有効画面ではない画面へのエリア移動があった場合にキーボード・マウス入力が有効な画面に切り替える。
【００２９】
なお、上記の映像切り替え機能は、図１１に示すように、パソコン２Ａ〜２Ｄの画面表示の間を境界エリアとしてマウスカーソルが境界エリアに入った次の動作によりキーボード・マウスの入力切り替えのチェックをする。
【００３０】
このための処理例を図１２〜図１５に示す。図１２において、パソコン２Ａのキーボード・マウス入力を有効にし（Ｓ１１）、マウスカーソルが境界にあり（Ｓ１２）、パソコン２Ｂの画面に移動したときは図１３の処理に入る（Ｓ１３）。同様に、マウスカーソルがパソコン２Ｃの画面に移動したときは図１４の処理に入り（Ｓ１４）、パソコン２Ｄの画面に移動したときは図１５の処理に入る（Ｓ１５）。
【００３１】
図１３〜図１５の各処理では、パソコン２Ｂ、２Ｃ、２Ｄの画面に対するキーボード・マウス入力を有効にする（Ｓ１６，Ｓ２１，Ｓ２６）。この状態で、マウスカーソルが境界エリアにあり（Ｓ１７，Ｓ２２，Ｓ２７）、パソコン２Ａの画面に移動したとき（Ｓ１８，Ｓ２３，Ｓ２８）、再びＡに戻ってパソコン２Ａの入力を有効に切り替える。また、マウスカーソルがパソコン２Ａ、２Ｃの画面に移動したとき（Ｓ１９，Ｓ２４，Ｓ２９）、再びＢに戻ってパソコン２Ｂの入力を有効に切り替える。同様に、マウスカーソルがパソコン２Ｃ、２Ｄの画面に移動したとき（Ｓ２０，Ｓ２５，Ｓ３０）、再びＣに戻ってパソコン２Ｃの入力を有効に切り替える。
【００３２】
（実施形態３）
図１６は、本発明の実施形態を示すシステム構成図であり、Ｎ台のパソコン２Ａ〜２Ｎと１台のモニタ構成による映像切り替えの場合である。本実施形態の場合は、実施形態とは以下の点で異なる。
【００３３】
（３Ａ）モニタの画面表示
画面表示は、図１７に示すように、各パソコン２Ａ〜２Ｎからの映像入力をマルチウィンドウ画面で表示し、そのうち選択した１台のパソコンからの映像に対してのみキーボード・マウス入力を有効とする。なお、各パソコンからの映像画面のウィンドウの大きさは変更可能とすると共に、画面の位置の移動も可能とする。
【００３４】
（３Ｂ）境界エリアによる入力有効画面の移動
各ウィンドウ画面の枠線を境界エリアとし、実施形態１，２と同様に、マウスカーソルが境界エリアに入った次の動作により、キーボード・マウスの切り替えのチェックを行う。
【００３５】
なお、各実施形態におけるパソコン２Ａ〜２Ｎの一部または全部が外部のネットワーク経由で映像を取得する映像受信装置として、同等の作用効果を得ることができる。
【図面の簡単な説明】
【００３６】
【図１】本発明の実施形態１を示すシステム構成図。
【図２】実施形態１におけるモニタの分割画面表示例。
【図３】実施形態１における入力有効画面の切り替え例。
【図４】実施形態１におけるカーソル移動による入力有効画面の切り替え例。
【図５】実施形態１における境界エリアの例。
【図６】実施形態１におけるキーボード・マウス入力の切り替え処理フロー。
【図７】本発明の実施形態２を示すシステム構成図。
【図８】実施形態２におけるモニタの分割画面表示例。
【図９】実施形態２における入力有効画面の切り替え例。
【図１０】実施形態２におけるカーソル移動による入力有効画面の切り替え例。
【図１１】実施形態２における境界エリアの例。
【図１２】実施形態２におけるキーボード・マウス入力の切り替え処理フロー（その１）。
【図１３】実施形態２におけるキーボード・マウス入力の切り替え処理フロー（その２）。
【図１４】実施形態２におけるキーボード・マウス入力の切り替え処理フロー（その３）。
【図１５】実施形態２におけるキーボード・マウス入力の切り替え処理フロー（その４）。
【図１６】本発明の実施形態３を示すシステム構成図。
【図１７】実施形態３におけるモニタのウィンドウ画面表示例。
【符号の説明】
【００３７】
１  映像切り替え機
２Ａ〜２Ｎ  パソコン
３  モニタ
４  マウス
５  キーボード
【図１】
2008040190.tif 000003
【図２】
2008040190.tif 000004
【図３】
2008040190.tif 000005
【図４】
2008040190.tif 000006
【図５】
2008040190.tif 000007
【図６】
2008040190.tif 000008
【図７】
2008040190.tif 000009
【図８】
2008040190.tif 000010
【図９】
2008040190.tif 000011
【図１０】
2008040190.tif 000012
【図１１】
2008040190.tif 000013
【図１２】
2008040190.tif 000014
【図１３】
2008040190.tif 000015
【図１４】
2008040190.tif 000016
【図１５】
2008040190.tif 000017
【図１６】
2008040190.tif 000018
【図１７】
2008040190.tif 000019